(57)【要約】【課題】使用者が手動で操作を行わなくても、表示デバイスの表示領域を有効に活用して映像領域を表示する。【解決手段】映像位置検出部４２は、映像信号源６から入力された映像信号に応じた映像について、外縁部から黒画像が連続する領域をマスキング領域とし、該マスキング領域を除く映像領域の水平開始位置、水平終了位置、垂直開始位置、および垂直終了位置を検出する。映像信号判別部３１は、映像位置検出部４２の検出結果に基づいて映像領域を判別する。解像度設定部３２は、映像領域に相当する部分の映像信号に対して、映像領域のアスペクト比を維持したまま、表示デバイスの表示領域の解像度およびアスペクト比に応じた解像度変換を行うための解像度変換率を解像度変換部４３に設定する。解像度変換部４３は、映像領域に相当する部分の映像信号に対して、解像度設定部３２により設定された解像度変換率で解像度変換を行う。【選択図】図１
2007304479.tif 000002
【特許請求の範囲】
【請求項１】
入力された映像信号に応じた映像を表示デバイスに表示する映像表示装置であって、
前記映像信号に応じた映像について、外縁部から黒画像が連続する領域をマスキング領域とし、該マスキング領域を除く映像領域の水平幅、垂直幅、およびアスペクト比を判別する判別部と、
前記映像信号のうち前記判別部で判別された前記映像領域に相当する部分の映像信号に対して、前記判別部で判別された前記映像領域のアスペクト比を維持したまま、前記表示デバイスの表示領域の解像度およびアスペクト比に応じた解像度変換を行う変換部とを有する映像表示装置。
【請求項２】
前記映像領域の水平開始位置、水平終了位置、垂直開始位置、および垂直終了位置を検出する映像位置検出部をさらに有し、
前記判別部は、前記映像位置検出部の検出結果に基づいて前記映像領域の水平幅、垂直幅、およびアスペクト比を判別する、請求項１に記載の映像表示装置。
【請求項３】
前記表示デバイスの表示領域の解像度およびアスペクト比を予め記憶する記憶部と、
前記判別部で判別された前記映像領域の水平幅、垂直幅、およびアスペクト比と前記記憶部に記憶された前記表示デバイスの表示領域の解像度およびアスペクト比とに基づいて、前記変換部に解像度変換率を設定する設定部とをさらに有し、
前記変換部は、前記設定部により設定された解像度変換率で、前記解像度変換を行う、請求項１または２に記載の映像表示装置。
【請求項４】
入力された映像信号に応じた映像を表示デバイスに表示する映像表示装置による表示方法であって、
前記映像信号に応じた映像について、外縁部から黒画像が連続する領域をマスキング領域とし、該マスキング領域を除く映像領域の水平幅、垂直幅、およびアスペクト比を判別する判別ステップと、
前記映像信号のうち前記判別ステップで判別された前記映像領域に相当する部分の映像信号に対して、前記判別ステップで判別された前記映像領域のアスペクト比を維持したまま、前記表示デバイスの表示領域の解像度およびアスペクト比に応じた解像度変換を行う変換ステップとを有する表示方法。
【請求項５】
前記映像領域の水平開始位置、水平終了位置、垂直開始位置、および垂直終了位置を検出する検出ステップをさらに有し、
前記判別ステップでは、前記検出ステップの検出結果に基づいて前記映像領域の水平幅、垂直幅、およびアスペクト比を判別する、請求項４に記載の表示方法。
【請求項６】
前記表示デバイスの表示領域の解像度およびアスペクト比を予め記憶する記憶ステップと、
前記判別ステップで判別された前記映像領域の水平幅、垂直幅、およびアスペクト比と前記記憶ステップで記憶された前記表示デバイスの表示領域の解像度およびアスペクト比とに基づいて、前記変換ステップでの前記解像度変換における解像度変換率を設定する設定ステップとをさらに有し、
前記変換ステップでは、前記設定ステップで設定された解像度変換率で、前記解像度変換を行う、請求項４または５に記載の表示方法。
【発明の詳細な説明】
【技術分野】
【０００１】
本発明は、映像表示装置、映像表示装置による表示方法に関する。
【背景技術】
【０００２】
映像表示装置には、映像ソースとして、黒のマスキング領域が存在する映像信号が入力されることがある。
【０００３】
ここで、マスキング領域とは、外縁部から黒画像が連続する領域のことであり、映像領域の上下部分および／または左右部分に存在する。
【０００４】
マスキング領域が存在する映像信号の例としては、アスペクト比が４：３で、映像領域の上下部分に黒のマスキング領域が存在するシネスコ、ビスタソースなどが挙げられる。
【０００５】
映像信号に黒のマスキング領域が存在する場合、その映像信号のアスペクト比等を変換せずに表示デバイスに表示しようとすると、マスキング領域が残った状態で映像が表示されるため、表示デバイスの表示領域を有効に活用した表示を行うことができない。
【０００６】
そこで、例えば、特許文献１には、使用者が手動でアスペクト変換を行うことができるよう映像表示装置にアスペクト変換回路を設けることが開示されている。さらに、特許文献１には、使用者が手動でアスペクト変換を行うためのボタンを設け、このボタンが押下された場合にアスペクト変換回路でアスペクト変換を行うことが開示されている。
【０００７】
このように使用者が手動でアスペクト変換を行うことにより、映像領域のみを拡大し、マスキング領域を外部に追い出すことも可能になるため、表示デバイスの表示領域を有効に活用して映像領域を表示することが可能となる。
【特許文献１】特開平１０−２３３９７７号公報
【発明の開示】
【発明が解決しようとする課題】
【０００８】
しかしながら、特許文献１に開示された技術においては、映像信号に黒のマスキング領域が存在する場合、表示デバイスの表示領域を有効に活用して映像領域を表示するには、使用者が手動で繰り返しアスペクト変換を行わなければならないという課題がある。
【０００９】
そこで、本発明の目的は、使用者が手動でアスペクト変換等の操作を行わなくても、表示デバイスの表示領域を有効に活用して映像領域を表示することができる映像表示装置、映像表示装置による表示方法を提供することにある。
【課題を解決するための手段】
【００１０】
上記目的を達成するために本発明の映像表示装置は、
入力された映像信号に応じた映像を表示デバイスに表示する映像表示装置であって、
前記映像信号に応じた映像について、外縁部から黒画像が連続する領域をマスキング領域とし、該マスキング領域を除く映像領域の水平幅、垂直幅、およびアスペクト比を判別する判別部と、
前記映像信号のうち前記判別部で判別された前記映像領域に相当する部分の映像信号に対して、前記判別部で判別された前記映像領域のアスペクト比を維持したまま、前記表示デバイスの表示領域の解像度およびアスペクト比に応じた解像度変換を行う変換部とを有することを特徴とするものである。
【００１１】
この構成によれば、映像信号に応じた映像のうち黒のマスキング領域を除く映像領域が、映像領域のアスペクト比を維持したまま、表示デバイスの表示領域の解像度およびアスペクト比に応じて自動的に拡大表示されるため、使用者が手動で操作を行わなくても、表示デバイスの表示領域を有効に活用して映像領域を表示することができる。
【００１２】
また、前記映像領域の水平開始位置、水平終了位置、垂直開始位置、および垂直終了位置を検出する映像位置検出部をさらに有し、
前記判別部は、前記映像位置検出部の検出結果に基づいて前記映像領域の水平幅、垂直幅、およびアスペクト比を判別することとしても良い。
【００１３】
また、前記表示デバイスの表示領域の解像度およびアスペクト比を予め記憶する記憶部と、
前記判別部で判別された前記映像領域の水平幅、垂直幅、およびアスペクト比と前記記憶部に記憶された前記表示デバイスの表示領域の解像度およびアスペクト比とに基づいて、前記変換部に解像度変換率を設定する設定部とをさらに有し、
前記変換部は、前記設定部により設定された解像度変換率で、前記解像度変換を行うこととしても良い。
【発明の効果】
【００１４】
以上説明したように本発明によれば、判別部が、入力された映像信号に応じた映像について、外縁部から黒画像が連続する領域をマスキング領域とし、該マスキング領域を除く映像領域を判別し、変換部が、映像領域に相当する部分の映像信号に対して、映像領域のアスペクト比を維持したまま、表示デバイスの表示領域の解像度およびアスペクト比に応じた解像度変換を行う。
【００１５】
したがって、マスキング領域を除く映像領域が、映像領域のアスペクト比を維持したまま、表示デバイスの表示領域の解像度およびアスペクト比に応じて自動的に拡大表示されるため、使用者が手動で操作を行わなくても、表示デバイスの表示領域を有効に活用して映像領域を表示することができるという効果が得られる。
【発明を実施するための最良の形態】
【００１６】
以下に、本発明を実施するための最良の形態について図面を参照して説明する。
【００１７】
図１は、本発明の一実施形態の映像表示装置の構成を示すブロック図である。
【００１８】
図１を参照すると、本実施形態の映像表示装置１は、表示デバイス２と、制御部３と、信号処理部４と、記憶部５とを有する。
【００１９】
信号処理部４は、信号検出部４１と、映像位置検出部４２と、解像度変換部４３とを有する。
【００２０】
信号検出部４１は、映像信号源６から入力された映像信号の水平周波数、垂直周波数、およびインターレース情報等を検出する。
【００２１】
映像位置検出部４２は、映像信号源６から入力された映像信号に応じた映像について、黒レベルを検出し、さらに、外縁部から黒画像が連続する領域をマスキング領域とし、該マスキング領域を除く映像領域の水平開始位置、水平終了位置、垂直開始位置、および垂直終了位置を検出する。
【００２２】
解像度変換部４３は、映像信号源６から入力された映像信号のうち映像領域に相当する部分の映像信号に対して、後述の解像度設定部３２により設定された解像度変換率で、解像度変換を行う。なお、表示デバイス２には、解像度変換部４３から出力された映像が表示されることになる。
【００２３】
制御部３は、映像信号判別部３１と、解像度設定部３２とを有する。
【００２４】
映像信号判別部３１は、信号検出部４１で検出された映像信号の水平周波数、垂直周波数、およびインターレース情報等に基づいて、映像信号の種類を判別する。
【００２５】
さらに、映像信号判別部３１は、映像位置検出部４２で検出された映像領域の水平開始位置、水平終了位置、垂直開始位置、および垂直終了位置に基づいて、映像領域の水平幅、垂直幅、およびアスペクト比を判別する。
【００２６】
解像度設定部３２は、映像信号判別部３１で判別された映像領域の水平幅、垂直幅、およびアスペクト比と、後述の出力設定情報記憶部５２に出力設定情報として記憶されている表示デバイス２の表示領域の解像度およびアスペクト比とに基づいて、解像度変換部４３に解像度変換率を設定する。
【００２７】
詳細には、解像度設定部３２は、映像領域に相当する部分の映像信号に対して、映像領域のアスペクト比を維持したまま、表示デバイス２の表示領域の解像度およびアスペクト比に応じた解像度変換を行うための解像度変換率を解像度変換部４３に設定する。
【００２８】
記憶部５は、基準映像信号情報記憶部５１と、出力設定情報記憶部５２と、入力映像信号記憶部５３とを有する。
【００２９】
基準映像信号情報記憶部５１は、映像信号の種類ごとに、その映像信号に応じた映像にマスキング領域が存在しない場合の映像信号の基準値を示す情報を、基準映像信号情報として記憶する。
【００３０】
具体的には、基準映像信号情報記憶部５１は、基準映像信号情報として、映像信号の種類ごとに、映像幅（水平幅、垂直幅）、映像位置（水平開始位置、水平終了位置、垂直開始位置、垂直終了位置）、アスペクト比等を記憶する。
【００３１】
出力設定情報記憶部５２は、映像の出力先となる表示デバイス２の設定値を示す情報を、出力設定情報として記憶する。
【００３２】
具体的には、出力設定情報記憶部５２は、出力設定情報として、表示デバイス２の表示領域の解像度およびアスペクト比等を記憶する。
【００３３】
入力映像信号情報記憶部５３は、映像信号源６から入力された映像信号に関する情報を、入力映像信号情報として記憶する。なお、入力映像信号情報は、映像信号源６から入力された映像信号の種類や、その映像信号に応じた映像の水平幅または垂直幅等が変更されると、変更後の新たな値に解像度設定部３２によって更新される。
【００３４】
具体的には、入力映像信号情報記憶部５３は、入力映像信号情報として、映像信号源６から入力された映像信号に応じた映像領域の水平幅、垂直幅、アスペクト比等の他、その映像領域に相当する部分の映像信号の解像度変換を行うために解像度変換部４３に設定した解像度変換率等を記憶する。
【００３５】
以下に、図１に示した本実施形態の映像表示装置による表示方法について、図２のフローチャートを参照して説明する。
【００３６】
図２は、図１に示した本実施形態の映像表示装置による表示方法を説明するフローチャートである。
【００３７】
図２を参照すると、映像信号判別部３１は、映像信号源６から入力された映像信号の水平周波数、垂直周波数、インターレース情報等が信号検出部４１で検出されると、その検出結果に基づいて映像信号の種類を判別する（ステップＡ１）。
【００３８】
解像度設定部３２は、基準映像信号情報記憶部５２に記憶されている、映像信号判別部３１により判別された映像信号の種類に応じた映像の映像領域の水平幅、垂直幅、およびアスペクト比の基準値と、出力設定情報記憶部５３に記憶されている表示デバイス６の表示領域の解像度およびアスペクト比とに基づいて、映像領域のアスペクト比を維持したまま、表示デバイス２の表示領域の解像度およびアスペクト比に応じた解像度変換を行わせるよう解像度変換部４３に解像度変換率を初期設定する（ステップＡ２）。
【００３９】
この時点で、映像信号判別部３１が信号検出部４１の検出結果に基づいて映像信号の種類が変化したと判定すると（ステップＡ３）、ステップＡ１の処理に戻る。
【００４０】
また、映像信号判別部３１は、映像信号源６から入力された映像信号に応じた映像のうちマスキング領域を除く映像領域の水平開始位置、水平終了位置、垂直開始位置、垂直終了位置が映像位置検出部４２で検出されると、その検出結果に基づいて映像の垂直幅、水平幅、およびアスペクト比を判別する（ステップＡ４）。
【００４１】
ここで、解像度設定部３２は、映像信号判別部３１で判別された映像領域の垂直幅または水平幅が、入力映像信号情報記憶部５３に記憶されている前回の映像領域の垂直幅または水平幅から変化したか否かを判定する（ステップＡ５）。
【００４２】
ステップＡ５では、映像領域の垂直幅および水平幅が同じである場合や、垂直幅および水平幅の変化が所定の範囲内の変化であった場合には、ステップＡ３の処理に戻る。一方、映像領域の垂直幅または水平幅の変化が所定の範囲を超える変化であった場合には、解像度設定部３２は、映像信号判別部３１で判別された映像領域の水平幅、垂直幅、およびアスペクト比と、出力設定情報記憶部５３に記憶されている表示デバイス６の表示領域の解像度およびアスペクト比とに基づいて、映像領域のアスペクト比を維持したまま、表示デバイス２の表示領域の解像度およびアスペクト比に応じた解像度変換を行わせるよう解像度変換部４３に解像度変換率を設定する（ステップＡ６）。
【００４３】
さらに、解像度設定部３２は、映像信号判別部３１で判別された映像領域の水平幅、垂直幅、アスペクト比、その映像領域に相当する部分の映像信号の解像度変換を行うために解像度変換部４３に設定した解像度変換率等を入力映像信号情報記憶部５３に記憶させ、入力映像信号情報を更新する（ステップＡ７）。
【００４４】
以下に、図１に示した本実施形態の映像表示装置の効果について、図３、図４、図５、および図６を参照して説明する。
【００４５】
図３を参照すると、映像信号源６から入力信号１（アスペクト比４：３）、入力信号２（アスペクト比１６：９）を映像信号として入力し、表示デバイス２が出力設定１（アスペクト比４：３）である場合において、従来の方法と本発明の方法での表示デバイス２の各出力映像が示されている。
【００４６】
図３の例では、映像３０Ａ（入力信号１）および映像３０Ｂ（入力信号２）を入力した場合の各出力映像は同一となる。一方、映像３０Ｃ（入力信号２）を入力した場合、従来の方法による出力映像は３１Ｃとなり、映像３０Ｂを入力した時の出力映像３１Ｂの映像領域内に表示される。この時の本発明の方法による出力映像は３２Ｃとなり、出力映像３１Ｂの映像領域を越えて拡大表示される。
【００４７】
図４を参照すると、映像信号源６から入力信号１（アスペクト比４：３）、入力信号２（アスペクト比１６：９）の映像信号を入力し、表示デバイス２が出力設定２（アスペクト比１６：９）である場合において、従来の方法と本発明の方法での表示デバイス２の各出力映像が示されている。
【００４８】
図４の例では、映像４０Ａ（入力信号２）および映像４０Ｂ（入力信号１）を入力した場合の各出力映像は同一となる。一方、映像４０Ｃ（入力信号１）を入力した場合、従来の方法による出力映像は４１Ｃとなり、映像４０Ｂを入力した時の出力映像４１Ｂの映像領域内に表示される。この時の本発明の方法による出力映像は４２Ｃとなり、出力映像４１Ｂの映像領域を越えて拡大表示される。
【００４９】
図５を参照すると、映像信号源６から入力信号３（アスペクト比５：４）の映像信号を入力し、表示デバイス２が出力設定１（アスペクト比４：３）である場合において、従来の方法と本発明の方法での表示デバイス２の各出力映像が示されている。
【００５０】
図５の例では、映像５０Ａ（入力信号３）を入力した場合の各出力映像は同一となる。一方、映像５０Ｂ、映像５０Ｃ、および映像５０Ｄ（入力信号３）を入力した場合、従来の方法による出力映像はそれぞれ５１Ｂ、５１Ｃ、および５１Ｄとなり、映像５０Ａを入力した時の出力映像５１Ａの映像領域内に表示される。この時の本発明の方法による出力映像はそれぞれ、５２Ｂ、５２Ｃ、および５２Ｄとなり、出力映像５１Ａの映像領域を越えて拡大表示される。
【００５１】
図６を参照すると、映像信号源６から入力信号３（アスペクト比５：４）の映像信号を入力し、表示デバイス２が出力設定２（アスペクト比１６：９）である場合において、従来の方法と本発明の方法での表示デバイス２の各出力映像が示されている。
【００５２】
図６の例では、映像６０Ａ（入力信号３）を入力した場合の各出力映像は同一となる。一方、映像６０Ｂ、映像６０Ｃ、および映像６０Ｄ（入力信号３）を入力した場合、従来の方法による出力映像はそれぞれ６１Ｂ、６１Ｃ、および６１Ｄとなり、映像６０Ａを入力した時の出力映像６１Ａの映像領域内に表示される。この時の本発明の方法による出力映像はそれぞれ、６２Ｂ、６２Ｃ、および６２Ｄとなり、出力映像６１Ａの映像領域を越えて拡大表示される。
【００５３】
上述したように本実施形態においては、映像信号源６から入力された映像信号に応じた映像について、外縁部から黒画像が連続する領域をマスキング領域とし、該マスキング領域を除く映像領域に相当する部分の映像信号に対して、映像領域のアスペクト比を維持したまま、表示デバイス２の表示領域の解像度およびアスペクト比に応じた解像度変換を行う。
【００５４】
したがって、マスキング領域を除く映像領域が、映像領域のアスペクト比を維持したまま、表示デバイス２の表示領域の解像度およびアスペクト比に応じて自動的に拡大表示されるため、使用者が手動で操作を行わなくても、表示デバイス２の表示領域を有効に活用して映像領域を表示することができる。
【図面の簡単な説明】
【００５５】
【図１】本発明の一実施形態の映像表示装置の構成を示すブロック図である。
【図２】図１に示した映像表示装置による表示方法を説明するフローチャートである。
【図３】図１に示した映像表示装置の効果を説明する図である。
【図４】図１に示した映像表示装置の効果を説明する図である。
【図５】図１に示した映像表示装置の効果を説明する図である。
【図６】図１に示した映像表示装置の効果を説明する図である。
【符号の説明】
【００５６】
１    映像表示装置
２    表示デバイス
３    制御部
４    信号処理部
５    記憶部
６    映像信号源
３１    映像信号判別部
３２    解像度設定部
４１    信号検出部
４２    映像位置検出部
４３    解像度変換部
５１    基準映像信号情報記憶部
５２    出力設定情報記憶部
５３    入力映像信号記憶部
【図１】
2007304479.tif 000003
【図２】
2007304479.tif 000004
【図３】
2007304479.tif 000005
【図４】
2007304479.tif 000006
【図５】
2007304479.tif 000007
【図６】
2007304479.tif 000008